(57)【要約】【課題】利用者の演奏意欲を促進させる各利用者毎の総合的な演奏評価を適切に行い得る通信カラオケシステムを提供する。【解決手段】利用者の認証制御を行うログイン認証手段１００と、そのログイン認証手段１００により認証される利用者毎にカラオケ装置１６による総演奏回数Ｎを記憶するＳＮＳデータベース８４と、ログイン認証手段１００により認証される利用者に対応して、マイクロフォン４０により入力される音声情報に基づいてカラオケ装置１６による演奏を評価する演奏評価手段１０２と、演奏評価手段１０２による演奏評価結果とＳＮＳデータベース８４に記憶された各利用者毎の総演奏回数Ｎとに基づいて、ログイン認証手段１００により認証され得る複数の利用者を母集団とする演奏評価結果の統計を行う演奏評価結果統計手段１０６とを、備えたものであることから、演奏評価結果を各利用者の実際の歌唱力に近づけることができる。【選択図】図４
2008242045.tif 000002
【特許請求の範囲】
【請求項１】
多数の演奏曲のうちから選択される所定の演奏曲を出力させる複数のカラオケ装置と、所定の通信回線を介して前記複数のカラオケ装置との間で情報の送受信を行うサーバ装置とを、備えた通信カラオケシステムであって、
所定の入力操作により入力される識別情報に応じて利用者を認証する認証手段と、
該認証手段により認証される利用者毎に、該利用者が前記カラオケ装置により演奏を行った総演奏回数を記憶する記憶装置と、
前記認証手段により認証される利用者に対応して、予め定められた関係から所定の音声入力装置により入力される音声情報に基づいて前記カラオケ装置による演奏を評価する演奏評価手段と、
予め定められた関係から、前記演奏評価手段による演奏評価結果と前記記憶装置に記憶された各利用者毎の総演奏回数とに基づいて、前記認証手段により認証され得る複数の利用者を母集団とする演奏評価結果の統計を行う演奏評価結果統計手段と
を、備えたものであることを特徴とする通信カラオケシステム。
【請求項２】
前記認証手段により認証される利用者毎に、前記カラオケ装置が設置された店舗への該利用者の来店頻度を記憶する記憶装置を備え、前記演奏評価結果統計手段は、予め定められた関係から該記憶装置に記憶された来店頻度に基づいて前記演奏評価結果の統計を行うものである請求項１の通信カラオケシステム。
【請求項３】
前記演奏評価結果統計手段は、予め定められた関係から前記演奏評価手段による演奏評価が行われた時期に基づいて前記演奏評価結果の統計を行うものである請求項１又は２の通信カラオケシステム。
【請求項４】
前記認証手段により認証される利用者毎に、該利用者が前記カラオケ装置により演奏した演奏曲の履歴を記憶する記憶装置を備え、前記演奏評価結果統計手段は、予め定められた関係から該記憶装置に記憶された演奏曲の履歴に基づいて前記演奏評価結果の統計を行うものである請求項１から３の何れかの通信カラオケシステム。
【請求項５】
前記演奏評価結果統計手段は、予め定められた関係から前記演奏評価手段による評価対象である演奏曲の演奏難易度に基づいて前記演奏評価結果の統計を行うものである請求項１から４の何れかの通信カラオケシステム。
【請求項６】
前記演奏評価結果統計手段は、予め定められた関係から、前記演奏評価手段による評価対象である演奏曲の、前記認証手段により認証され得る複数の利用者による累計演奏回数に基づいて前記演奏評価結果の統計を行うものである請求項１から５の何れかの通信カラオケシステム。
【発明の詳細な説明】
【技術分野】
【０００１】
本発明は、多数の演奏曲のうちから選択される所定の演奏曲を出力させるカラオケ装置を用いた通信カラオケシステムに関し、特に、その通信カラオケシステムを利用する各利用者毎に総合的な演奏評価を行う演奏評価技術の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
上記カラオケ装置を用いたカラオケシステムの一例として、複数のカラオケ装置を所定の通信回線を介してサーバ装置（ホスト装置）に接続し、それらカラオケ装置及びサーバ装置相互間で情報の送受信を可能とした通信カラオケシステムが知られている。また、斯かる通信カラオケシステムにおいて、その通信カラオケシステムを利用する多数の利用者との演奏評価の比較を行う技術が知られている。例えば、特許文献１に記載された歌唱力採点システムがそれである。この技術によれば、音声入力装置から入力される歌唱音声とカラオケ曲データとに基づいて利用者の歌唱力を採点し、その採点結果と個人識別番号とを関連づけてカラオケサーバ装置に記憶することで、各利用者毎の採点結果を集計し得ると共に、その集計結果をカラオケ装置により参照でき、利用者の演奏意欲を促進させることができるとされている。
【０００４】
【特許文献１】特開平１１−３４４９８６号公報
【発明の開示】
【発明が解決しようとする課題】
【０００５】
しかし、前記従来の技術は、前記カラオケ装置による演奏評価結果を各利用者毎に集計するという単純なものであったため、必ずしもその評価結果が実際の歌唱力を反映したものにならず、利用者の演奏意欲を促進できないばかりか、かえって演奏意欲を減退させる可能性があった。このため、利用者の演奏意欲を促進させる各利用者毎の総合的な演奏評価を適切に行い得る通信カラオケシステムの開発が求められていた。
【０００６】
本発明は、以上の事情を背景として為されたものであり、その目的とするところは、利用者の演奏意欲を促進させる各利用者毎の総合的な演奏評価を適切に行い得る通信カラオケシステムを提供することにある。
【課題を解決するための手段】
【０００７】
斯かる目的を達成するために、本発明の要旨とするところは、多数の演奏曲のうちから選択される所定の演奏曲を出力させる複数のカラオケ装置と、所定の通信回線を介して前記複数のカラオケ装置との間で情報の送受信を行うサーバ装置とを、備えた通信カラオケシステムであって、所定の入力操作により入力される識別情報に応じて利用者を認証する認証手段と、その認証手段により認証される利用者毎に、その利用者が前記カラオケ装置により演奏を行った総演奏回数を記憶する記憶装置と、前記認証手段により認証される利用者に対応して、予め定められた関係から所定の音声入力装置により入力される音声情報に基づいて前記カラオケ装置による演奏を評価する演奏評価手段と、予め定められた関係から、前記演奏評価手段による演奏評価結果と前記記憶装置に記憶された各利用者毎の総演奏回数とに基づいて、前記認証手段により認証され得る複数の利用者を母集団とする演奏評価結果の統計を行う演奏評価結果統計手段とを、備えたことを特徴とするものである。
【発明の効果】
【０００８】
このようにすれば、所定の入力操作により入力される識別情報に応じて利用者を認証する認証手段と、その認証手段により認証される利用者毎に、その利用者が前記カラオケ装置により演奏を行った総演奏回数を記憶する記憶装置と、前記認証手段により認証される利用者に対応して、予め定められた関係から所定の音声入力装置により入力される音声情報に基づいて前記カラオケ装置による演奏を評価する演奏評価手段と、予め定められた関係から、前記演奏評価手段による演奏評価結果と前記記憶装置に記憶された各利用者毎の総演奏回数とに基づいて、前記認証手段により認証され得る複数の利用者を母集団とする演奏評価結果の統計を行う演奏評価結果統計手段とを、備えたものであることから、前記カラオケ装置を用いて行った各利用者毎の総演奏回数を加味して例えばその総演奏回数が少ないほど評価を低くするといったように演奏評価結果の統計を行うことで、その演奏評価結果を各利用者の実際の歌唱力に近づけることができる。すなわち、利用者の演奏意欲を促進させる各利用者毎の総合的な演奏評価を適切に行い得る通信カラオケシステムを提供することができる。
【０００９】
ここで、好適には、前記認証手段により認証される利用者毎に、前記カラオケ装置が設置された店舗へのその利用者の来店頻度を記憶する記憶装置を備え、前記演奏評価結果統計手段は、予め定められた関係からその記憶装置に記憶された来店頻度に基づいて前記演奏評価結果の統計を行うものである。このようにすれば、前記カラオケ装置が設置された店舗への来店頻度を加味して例えばその来店頻度が小さいほど評価を低くするといったように演奏評価結果の統計を行うことで、その演奏評価結果を各利用者の実際の歌唱力に近づけることができるという利点がある。
【００１０】
また。好適には、前記演奏評価結果統計手段は、予め定められた関係から前記演奏評価手段による演奏評価が行われた時期に基づいて前記演奏評価結果の統計を行うものである。このようにすれば、演奏評価が行われた時期を加味して例えば演奏評価が行われた時期が古いものほど低い加重をもって評価に反映させるといったように演奏評価結果の統計を行うことで、その演奏評価結果を各利用者の実際の歌唱力に近づけることができるという利点がある。
【００１１】
また、好適には、前記認証手段により認証される利用者毎に、その利用者が前記カラオケ装置により演奏した演奏曲の履歴を記憶する記憶装置を備え、前記演奏評価結果統計手段は、予め定められた関係からその記憶装置に記憶された演奏曲の履歴に基づいて前記演奏評価結果の統計を行うものである。このようにすれば、前記カラオケ装置により演奏した演奏曲の履歴を加味して例えばその履歴に含まれる演奏曲の種類が多いほど評価を高くするといったように演奏評価結果の統計を行うことで、その演奏評価結果を各利用者の実際の歌唱力に近づけることができるという利点がある。
【００１２】
また、好適には、前記演奏評価結果統計手段は、予め定められた関係から前記演奏評価手段による評価対象である演奏曲の演奏難易度に基づいて前記演奏評価結果の統計を行うものである。このようにすれば、評価対象である演奏曲の演奏難易度を加味して例えば難易度が高い演奏曲ほど高い加重をもって評価に反映させるといったように演奏評価結果の統計を行うことで、その演奏評価結果を各利用者の実際の歌唱力に近づけることができるという利点がある。
【００１３】
また、好適には、前記演奏評価結果統計手段は、予め定められた関係から、前記演奏評価手段による評価対象である演奏曲の、前記認証手段により認証され得る複数の利用者による累計演奏回数に基づいて前記演奏評価結果の統計を行うものである。このようにすれば、評価対象である演奏曲の広域的な累計演奏回数を加味して例えばその累計演奏回数が多い演奏曲ほど高い加重をもって評価に反映させるといったように演奏評価結果の統計を行うことで、その演奏評価結果を各利用者の実際の歌唱力に近づけることができるという利点がある。
【００１４】
以下、本発明の好適な実施例を図面に基づいて詳細に説明する。
【実施例】
【００１５】
図１は、本発明の一実施例である通信カラオケシステム１０を説明する概略図である。この図１に示すように、本実施例の通信カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御に加えて、後述するソーシャルネットワークサービス管理制御や演奏評価結果統計制御等を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記通信カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１６】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音声入力装置であるマイクロフォン４０と、Ａ／Ｄコンバータ４１と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２とを、備えて構成されている。
【００１７】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００１８】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。また、前記Ａ／Ｄコンバータ４１は、音声入力装置である前記マイクロフォン４０から入力されるアナログ信号としての音声情報をディジタル信号に変換して前記ＣＰＵ５０等へ供給する。
【００１９】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００２０】
上記ＣＰＵ５０は、上記ＲＡＭ５４の一時記憶機能を利用しつつ上記ＲＯＭ５２に予め記憶された所定のプログラムに基づいて電子情報を処理・制御する所謂マイクロコンピュータであり、上記電子早見本装置２２やリモコン装置６４等により所定のカラオケ演奏曲が選曲された場合、その選曲されたカラオケ演奏曲を上記ＲＡＭ５４に設けられた予約曲テーブルに登録したり、その予約曲テーブルの演奏順に従って上記ハードディスク５６から上記ＲＡＭ５４に選曲されたカラオケ演奏曲の演奏情報及び歌詞情報等を読み出したり、カラオケ演奏曲の演奏が進行するのに応じてそのＲＡＭ５４から上記シンセサイザ３８へ演奏情報を送信したり、歌詞情報に基づいて歌詞文字映像を生成して上記映像出力制御部３２へ送ったり、選曲時には曲名文字映像を生成して上記映像出力制御部３２へ送ったり、上記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御に加えて、後述するログイン認証制御、演奏評価制御、及びその演奏評価結果の前記サーバ装置２０への送信制御等を実行する。
【００２１】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２２】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。
【００２３】
前記ハードディスク５６には、カラオケ演奏曲を出力させるための多数のカラオケデータ（楽曲データ）を記憶するカラオケデータベース８６（図４を参照）をはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たな楽曲データ等が前記サーバ装置２０から前記通信回線１８を介して配信され、前記ハードディスク５６のカラオケデータベース８６等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記カラオケデータベース８６等の内容が等価なものとされる。そのカラオケデータベース８６に記憶されるカラオケデータは、演奏音を生成するための演奏情報及び歌詞文字映像（歌詞テロップ）を生成するための歌詞情報から成るものであり、コンテンツＩＤである各演奏曲に固有の選曲番号により識別される。
【００２４】
図３は、前記サーバ装置２０の構成を説明するブロック線図である。この図３に示すように、前記サーバ装置２０は、中央演算処理装置であるＣＰＵ６６によりＲＡＭ７０の一時記憶機能を利用しつつＲＯＭ６８に予め記憶されたプログラムに従って信号処理を行う所謂マイクロコンピュータシステムを備えており、前記カラオケ装置１６へのカラオケデータ等のコンテンツ配信制御をはじめとする基本的な制御に加えて、後述するＳＮＳ管理制御及び演奏評価結果統計制御等の各種制御を実行する。また、ビデオボード７２により制御されるＣＲＴやＴＦＴ等の映像表示装置７４と、インターフェイス７８を介して接続されるキーボード等の入力装置７６と、上記ＣＰＵ６６を前記通信回線１８に接続するための装置であるモデム８０とを、備えて構成されている。また、前記カラオケ装置１６に配信するための多数のカラオケデータを記憶するカラオケデータベース８２や後述するＳＮＳに関する情報を記憶するＳＮＳデータベース８４等の各種データベースが設けられている。
【００２５】
上記ＳＮＳデータベース８４は、前記通信カラオケシステム１０を利用する各ユーザ毎の、前記カラオケ装置１６を用いたカラオケ演奏に関する情報、特にその通信カラオケシステム１０によるソーシャルネットワークサービスに関する情報を、そのユーザの識別情報と関連付けて記憶する記憶装置である。このソーシャルネットワークサービスとは、例えば、予め会員登録された会員相互間に限定して情報の閲覧等のサービスを提供する会員制のコミュニティ型のウェブサイトをいう。なお、以下の説明において、ソーシャルネットワークサービスをＳＮＳと略称する。このＳＮＳデータベース８４には、上記各ユーザの前記カラオケ装置１６を用いたカラオケ演奏に関する情報として、そのユーザが前記カラオケ装置１６によるカラオケ演奏において十八番曲として登録した演奏曲（簡易な操作により選曲入力を行い得るように設定された演奏曲）に関する情報、そのユーザが前記カラオケ装置１６によるカラオケ演奏において選曲した選曲履歴（カラオケ装置１６において過去に選曲された演奏曲の履歴）としての演奏曲に関する情報、そのユーザが前記カラオケ装置１６により過去に演奏した各演奏曲の演奏評価結果に関する情報、それら各演奏曲の演奏評価結果に基づく統計により算出されるＳＮＳ会員を母集団とする演奏評価ランキング（全国うたランキング）に関する情報、そのユーザがフレンドとして登録した他のユーザに関する情報、そのユーザが過去にリクエスト投票を行った演奏曲に関する情報、そのユーザがウォッチリスト（監視対象曲）として登録した演奏曲に関する情報、そのユーザの前記カラオケ装置１６が設置された店舗１２への来店履歴に関する情報、及びグループりれき（グループ履歴）に関する情報等が各ユーザ毎にそのユーザの識別情報と関連付けられて記憶される。また、各ユーザ毎に、そのユーザの名前（ニックネーム）、生年月日、性別、メールアドレス、地域、血液型、星座、パスワードを忘れたときのための質問及び解答、及びＳＮＳへのログイン認証に用いられるパスワードがそのユーザの識別情報と関連付けられて記憶されている。また、過去における各演奏曲のＳＮＳ会員による演奏評価の平均値（全国平均点）に関する情報や、過去における各演奏曲のＳＮＳ会員による累積演奏回数に関する情報等が記憶されている。
【００２６】
図４は、前記カラオケ装置１６のＣＰＵ５０及びサーバ装置２０のＣＰＵ６６に備えられた制御機能の要部を説明する機能ブロック線図である。この図４に示すログイン認証手段１００、演奏評価手段１０２、及び情報送信制御手段１０４は、前記カラオケ装置１６のＣＰＵ５０に、演奏評価結果統計手段１０６は、前記サーバ装置２０のＣＰＵ６６にそれぞれ機能的に備えられたものである。
【００２７】
上記ログイン認証手段１００は、前記電子早見本装置２２のタッチパネルディスプレイ等を介しての所定の入力操作により入力される識別情報（ユーザＩＤ）に応じて前記通信カラオケシステム１０におけるＳＮＳのユーザを認証し、その認証が正常に行われた場合にはその識別情報をもってそのユーザのＳＮＳへのログインを許可する。例えば、前記電子早見本装置２２により識別情報及びパスワードが入力された場合、その識別情報に関連付けられて前記ＳＮＳデータベース８４に記憶されたパスワードが入力されたものと一致するか否かを前記サーバ装置２０に照会し、一致する場合には正常な認証を行う一方、一致しない場合にはエラーとする。なお、上記ログイン認証手段１００は、前記カラオケ装置１６において入力された識別情報及びパスワードを前記サーバ装置２０へ送信するものであってもよく、実質的な認証はそのサーバ装置２０側で行うものであっても構わない。
【００２８】
前記演奏評価手段１０２は、前記ログイン認証手段１００により認証される利用者に対応して、予め定められた関係から音声入力装置である前記マイクロフォン４０により入力される音声情報に基づいて前記カラオケ装置１６による演奏を評価する。例えば、前記マイクロフォン４０により入力されて前記Ａ／Ｄコンバータ４１によりディジタル信号に変換された音声情報と、前記カラオケデータベース８６から読み出されるカラオケデータ（ＭＩＤＩデータ）に基づいて前記シンセサイザ３８により出力される演奏情報とを比較し、メロディなどの基本音程と入力される音声から抽出される音程との相対的なずれやその音声の絶対的な声量などを基準として評価を行う。この評価の態様としては、例えば、千点満点中何点というように数値的に採点を行うものであってもよいし、２０段階評定の何れに当てはまるかを判定するというように簡易なものであってもよい。また、好適には、対象となる演奏曲が出力される間すなわち演奏開始から演奏終了までの間に所定のタイミングで複数回、例えばその演奏曲における所定のフレーズ（楽句）毎に上記評価を行う。
【００２９】
前記情報送信制御手段１０４は、前記ログイン認証手段１００により認証される利用者に対応して、前記カラオケ装置１６を用いたカラオケ演奏に関する種々の情報を前記サーバ装置２０へ送信（アップロード）する情報送信制御を行う。例えば、前記演奏評価手段１０２により所定の演奏曲を対象とする演奏評価が行われた場合、その演奏評価結果を評価対象である演奏曲の選曲番号及びその演奏を行った利用者（ログイン認証手段１００により認証された利用者）の識別情報と共に、前記通信回線１８を介して前記サーバ装置２０へ送信する。そのようにして送信された情報は、そのサーバ装置２０のＳＮＳデータベース８４において該当する利用者に対応する情報として記憶される。
【００３０】
前記演奏評価結果統計手段１０６は、前記通信カラオケシステム１０の利用者を母集団として、前記演奏評価手段１０２による演奏評価結果の統計を行う。具体的には、前記ログイン認証手段１００により認証され得る複数の利用者（好適には、認証され得る利用者すなわちＳＮＳ会員全員）を母集団として、それら利用者の前記演奏評価手段１０２による演奏評価結果に基づく順位付け（ランキング）を行う。斯かる統計を行うために、偏差値算出手段１０８、累計回数係数算出手段１１０、評価時期係数算出手段１１２、来店頻度係数算出手段１１４、総演奏回数係数算出手段１１６、及び演奏曲種類係数算出手段１１８を含んでいる。前記演奏評価結果統計手段１０６は、好適には、上記偏差値算出手段１０８により算出される偏差値Ｓi、累計回数係数算出手段１１０により算出される累計演奏回数係数Ｃi、評価時期係数算出手段１１２により算出される評価時期係数Ｔi、来店頻度係数算出手段１１４により算出される来店頻度係数Ｆf、総演奏回数係数算出手段１１６により算出される総演奏回数係数Ｎf、演奏曲種類係数算出手段１１６により算出される演奏曲種類係数Ｍu、及び対象となる利用者が過去に前記カラオケ装置１６により演奏を行うと共に演奏評価を行った総演奏回数Ｎに基づき、次の（１）式に従って対象となる利用者の総合的な演奏評価である歌唱力ＳＡを算出する。この（１）式におけるα、β、γは所定の定数である。以下、これらの制御機能を用いた前記演奏評価結果統計手段１０６による順位付け統計処理について説明する。
【００３１】
ＳＡ＝Σ（Ｓi×Ｃi×Ｔi）／Ｎ＋Ｆf×α＋Ｎf×β＋Ｍu×γ              （１）
【００３２】
偏差値算出手段１０８は、前記演奏評価手段１０２による演奏評価結果ｘiを、その評価対象である演奏曲の難易度に基づく偏差値Ｓiに換算する。具体的には、評価対象である演奏曲のＳＮＳ会員による過去における演奏評価を前記ＳＮＳデータベース８４から読み出し、その情報から平均値、及び対象となる演奏評価結果に基づく分散乃至は標準偏差を求め、その標準偏差からその演奏評価結果に対応する偏差値Ｓiを求める。このようにして算出される偏差値Ｓiは、前記演奏評価手段１０２による演奏評価結果に、評価対象である演奏曲のＳＮＳ会員全体の演奏評価結果に基づく難易度を反映するものであり、その難易度が高い曲ほど高い加重をもって各利用者の演奏評価結果に反映されるように定められる。すなわち、上記偏差値算出手段１０８は、換言すれば、前記演奏評価結果統計手段１０６による統計に関して、前記演奏評価手段１０２による評価結果に、その評価対象である演奏曲の演奏難易度を反映する補正を行うための計算を行うものである。
【００３３】
累計回数係数算出手段１１０は、前記演奏評価手段１０２による評価対象である演奏曲の、前記ログイン認証手段１００により認証され得る複数の利用者（好適には、認証され得る利用者全員）による累計演奏回数Ｋに基づいて累計演奏回数係数Ｃiを算出する。例えば、過去における評価対象である演奏曲のＳＮＳ会員による累積演奏回数（各利用者による演奏回数の総計）Ｋを前記ＳＮＳデータベース８４から読み出し、その累積演奏回数Ｋに基づき、次の（２）式に従って累計演奏回数係数Ｃiを算出する。この（２）式に従って累計演奏回数係数Ｃiを算出する場合、累積演奏回数Ｋと累計演奏回数係数Ｃiとは図５に示すような対応関係を示す。この図５に示すような対応関係を予め算出して所定の記憶装置に記憶しておき、その関係を読み出して上記累計演奏回数係数Ｃiの導出を行うものであってもよい。また、累計演奏回数Ｋが極端に少ない演奏曲（例えばＫ＜１である曲）については一律にＣi＝０としてもよい。このようにして算出される累計演奏回数係数Ｃiは、前記演奏評価手段１０２による演奏評価結果に、評価対象である演奏曲の、前記ログイン認証手段１００により認証され得る複数の利用者による累積演奏回数Ｋを反映するものであり、その累積演奏回数Ｋが多い曲ほど高い加重をもって各利用者の演奏評価結果に反映されるように定められる。すなわち、前記累積回数算出手段１１０は、換言すれば、前記演奏評価結果統計手段１０６による統計に関して、前記演奏評価手段１０２による評価結果に、その評価対象である演奏曲の、前記ログイン認証手段１００により認証され得る複数の利用者による累積演奏回数Ｋを反映する補正を行うための計算を行うものである。
【００３４】
Ｃi＝０．２×ｌｏｇ10（Ｋ）＋０．２                                  （２）
【００３５】
評価時期係数算出手段１１２は、前記演奏評価手段１０２による演奏評価が行われた時期に基づいて評価時期係数Ｔiを算出する。例えば、予め定められた図６に示すような関係から、その時点における月（当月）と前記演奏評価手段１０２による演奏評価が行われた月（当月−ｎ）との差に基づいて、前記評価時期係数Ｔiを導出する。また、その時点における月から所定期間例えば２０ヶ月以上古い評価結果については一律にＴi＝０としてもよい。このようにして算出される評価時期係数Ｔiは、前記演奏評価手段１０２による演奏評価結果に、その演奏評価手段１０２による演奏評価が行われた時期すなわち時間的な開きを反映するものであり、その時間的な開きが小さいほど高い加重をもって各利用者の演奏評価結果に反映されるように定められる。すなわち、前記評価時期係数算出手段１１２は、換言すれば、前記演奏評価結果統計手段１０６による統計に関して、前記演奏評価手段１０２による評価結果に、その演奏評価が行われた時点と現在との時間的な開きを反映する補正を行うための計算を行うものである。
【００３６】
来店頻度係数算出手段１１４は、前記演奏評価手段１０２による演奏評価に対応する利用者の来店頻度に基づいて来店頻度係数Ｆfを算出する。例えば、予め定められた図７に示すような関係から、前記ＳＮＳデータベース８４から読み出される前記カラオケ装置１６が設置された店舗１２への来店履歴（来店回数Ｗ）に基づいて、前記来店頻度係数Ｆfを導出する。また、来店頻度が極端に低い利用者（例えばＷ＜３である利用者）については一律にＦf＝０としてもよく、更には、そのように低い来店頻度では総合的な歌唱力ははかれないとして前記歌唱力ＳＡ自体を一律に０としてもよい。このようにして算出される来店頻度係数Ｆfは、前記演奏評価手段１０２による演奏評価結果に、その演奏評価に対応する利用者の過去における来店回数Ｗを加味するものであり、その来店回数Ｗが多いほど各利用者の演奏評価結果に高いボーナスポイントが加算されるように定められる。すなわち、前記来店頻度係数算出手段１１４は、換言すれば、前記演奏評価結果統計手段１０６による統計に関して、前記演奏評価手段１０２による評価結果に、その演奏評価に対応する利用者の来店頻度を反映する補正を行うための計算を行うものである。
【００３７】
総演奏回数係数算出手段１１６は、前記演奏評価手段１０２による演奏評価に対応する利用者の総演奏回数Ｎに基づいて総演奏回数係数Ｎfを算出する。例えば、予め定められた図８に示すような関係から、前記ＳＮＳデータベース８４から読み出される、その利用者が前記カラオケ装置１６を用いて演奏を行うと共に演奏評価を行った総演奏回数Ｎに基づいて、前記総演奏回数係数Ｎfを導出する。また、総演奏回数Ｎが極端に少ない利用者（例えば＜２である利用者）については一律にＮf＝０としてもよく、更には、１〜２曲では総合的な歌唱力ははかれないとして前記歌唱力ＳＡ自体を一律に０としてもよい。なお、上記総演奏回数Ｎは、その時点から所定期間内例えば過去５年以内のものに限定してもよい。このようにして算出される総演奏回数係数Ｎfは、前記演奏評価手段１０２による演奏評価結果に、その演奏評価に対応する利用者の過去における総演奏回数Ｎを加味するものであり、その総演奏回数Ｎが多いほど各利用者の演奏評価結果に高いボーナスポイントが加算されるように定められる。すなわち、前記総演奏回数係数算出手段１１６は、換言すれば、前記演奏評価結果統計手段１０６による統計に関して、前記演奏評価手段１０２による評価結果に、その演奏評価に対応する利用者の総演奏回数を反映する補正を行うための計算を行うものである。
【００３８】
演奏曲種類係数算出手段１１８は、前記演奏評価手段１０２による演奏評価に対応する利用者の演奏履歴（選曲履歴）に基づいて演奏曲種類係数Ｍuを算出する。例えば、その利用者の過去における演奏履歴を前記ＳＮＳデータベース８４から読み出し、その演奏履歴における演奏曲の種類すなわちオリジナル曲の総数Ｎoと総演奏回数Ｎとに基づき、次の（３）式に従って演奏曲種類係数Ｍuを算出する。このようにして算出される演奏曲種類係数Ｍuは、前記演奏評価手段１０２による演奏評価結果に、その演奏評価に対応する利用者が過去に演奏した演奏曲の種類すなわち重複して演奏したものではない演奏曲の比率（いかに種類の異なる曲を演奏しているか）を反映するものであり、重複して演奏したものではない演奏曲の比率が高いほど各利用者の演奏評価結果に高いボーナスポイントが加算されるように定められる。すなわち、前記演奏曲種類係数算出手段１１８は、換言すれば、前記演奏評価結果統計手段１０６による統計に関して、前記演奏評価手段１０２による評価結果に、その演奏評価に対応する利用者が過去に演奏した演奏曲の種類を反映する補正を行うための計算を行うものである。
【００３９】
Ｍu＝Ｎo／Ｎ                                                       （３）
【００４０】
前記演奏評価結果統計手段１０６は、以上のようにして算出される偏差値Ｓi、累計演奏回数係数Ｃi、評価時期係数Ｔi、来店頻度係数Ｆf、総演奏回数係数Ｎf、演奏曲種類係数Ｍu、及び総演奏回数Ｎから、前述した（１）式に従って利用者の総合的な演奏評価である歌唱力ＳＡを算出する。このようにして算出される歌唱力ＳＡは、評価対象である各演奏曲の難易度及びＳＮＳ会員による累計演奏回数、各演奏曲の演奏評価が行われた時期、演奏評価に対応する利用者の来店頻度、過去に演奏した総演奏回数、及び過去に演奏した演奏曲の種類を反映するものであり、各係数を適宜定めることにより、それぞれの利用者の実際の歌唱力に近い指標となり得るものである。この演奏評価結果統計手段１０６により統計された歌唱力ＳＡは、対応する利用者毎に前記ＳＮＳデータベース８４に記憶されると共に、そのＳＮＳデータベース８４に登録された全ＳＮＳ会員を母集団として順位付け（ランキング）が行われ、全国うたランキングとして前記カラオケ装置１６や電子早見本装置２２、或いはパーソナルコンピュータや携帯電話機等の外部装置によって閲覧可能とされる。
【００４１】
図９は、前記カラオケ装置１６のＣＰＵ５０によるログイン制御の要部を説明するフローチャートであり、所定の周期で繰り返し実行されるものである。
【００４２】
先ず、ステップ（以下、ステップを省略する）ＳＡ１において、前記電子早見本装置２２やリモコン装置６４等により利用者の識別情報（ＩＤ）及びパスワードが入力されたか否かが判断される。このＳＡ１の判断が否定される場合には、それをもって本ルーチンが終了させられるが、ＳＡ１の判断が肯定される場合には、ＳＡ２において、入力された識別情報に関連付けられて前記サーバ装置２０のＳＮＳデータベース８４に記憶されたパスワードが入力されたものと一致するか否かそのサーバ装置２０に照会が行われる。次に、ＳＡ３において、入力された識別情報に関連付けられて前記サーバ装置２０のＳＮＳデータベース８４に記憶されたパスワードが入力されたものと一致したか否かが判断される。このＳＡ３の判断が肯定される場合には、ＳＡ４において、入力された識別情報に係る利用者の認証が完了し、その利用者のログイン処理が行われた後、本ルーチンが終了させられるが、ＳＡ３の判断が否定される場合には、ＳＡ５において、前記電子早見本装置２２や映像表示装置３０等に所定のエラーメッセージが表示された後、本ルーチンが終了させられる。以上の制御において、ＳＡ１乃至ＳＡ５が前記ログイン認証手段１００の動作に対応する。
【００４３】
図１０は、前記カラオケ装置１６のＣＰＵ５０による演奏評価制御の要部を説明するフローチャートであり、所定の周期で繰り返し実行されるものである。
【００４４】
先ず、ＳＢ１において、演奏評価モードであるか否かが判断される。このＳＢ１の判断が否定される場合には、それをもって本ルーチンが終了させられるが、ＳＢ１の判断が肯定される場合には、ＳＢ２において、所定の演奏曲の演奏開始タイミングであるか否かが判断される。このＳＢ２の判断が否定される場合には、それをもって本ルーチンが終了させられるが、ＳＢ２の判断が肯定される場合には、演奏開始に係る演奏曲のカラオケデータが前記カラオケデータベース８６から読み出され、ＳＢ３において、その読み出されたカラオケデータ（ＭＩＤＩデータ）に基づいて前記シンセサイザ３８から所定の演奏音が出力される。また、その演奏音の出力と同期して上記カラオケデータに基づいて歌詞文字映像が生成され、前記映像出力制御部３２により随時出力されて前記映像表示装置３０に表示されると共に、その歌詞文字映像が順次色替りさせられる。次に、ＳＢ４において、音声入力装置である前記マイクロフォン４０から入力されて前記Ａ／Ｄコンバータ４１によりディジタル信号に変換された音声情報と、演奏に係るＭＩＤＩデータとに基づいて演奏の評価が行われ、その評価結果が前記ＲＡＭ５４等に随時記憶される。次に、ＳＢ５において、演奏終了タイミングであるか否かが判断される。このＳＢ５の判断が否定される場合には、ＳＢ３以下の処理が再び実行されるが、ＳＢ５の判断が肯定される場合には、ＳＢ６において、前記ＲＡＭ５４等に記憶された区分毎の演奏評価結果が読み出され、１曲を通しての演奏評価結果が算出される。次に、ＳＢ７において、ＳＢ６にて算出された演奏評価結果がその評価の対象である演奏曲の選曲番号及び利用者のユーザＩＤと共に前記サーバ装置２０へ送信され、前記ＳＮＳデータベース８４に各利用者毎に記憶された後、本ルーチンが終了させられる。以上の制御において、ＳＢ４及びＳＢ６が前記演奏評価手段１０２の動作に、ＳＢ７が前記情報送信制御手段１０４の動作にそれぞれ対応する。
【００４５】
図１１は、前記サーバ装置２０のＣＰＵ６６による演奏評価結果統計制御の要部を説明するフローチャートであり、所定の周期で繰り返し実行されるものである。
【００４６】
先ず、ＳＣ１において、所定のカラオケ装置１６から新規に演奏評価結果の送信（アップロード）があったか否かが判断される。このＳＣ１の判断が否定される場合には、それをもって本ルーチンが終了させられるが、ＳＣ１の判断が肯定される場合には、ＳＣ２において、アップロードされた演奏評価の対象である演奏曲の平均点が前記ＳＮＳデータベース８４から読み出され、その平均点に基づいて演奏評価結果が偏差値に換算される。次に、ＳＣ３において、アップロードされた演奏評価及びその演奏評価に対応する利用者に関連して記憶された情報が前記ＳＮＳデータベース８４から読み出され、それらの情報に基づいて各種係数が算出される。次に、ＳＣ４において、ＳＣ２にて算出された偏差値及びＳＣ３にて算出された各種係数から利用者の総合的な歌唱力ＳＡが算出される。次に、ＳＣ５において、ＳＣ４にて算出された総合的な歌唱力ＳＡが前記ＳＮＳデータベース８４にその利用者に対応する情報として記憶（更新）された後、本ルーチンが終了させられる。以上の制御において、ＳＣ１乃至ＳＣ５が前記演奏評価結果統計手段１０６の動作に対応する。
【００４７】
このように、本実施例によれば、所定の入力操作により入力される識別情報に応じて利用者を認証するログイン認証手段１００（ＳＡ１乃至ＳＡ５）と、そのログイン認証手段１００により認証される利用者毎に、その利用者が前記カラオケ装置１６により演奏を行った総演奏回数Ｎを記憶する記憶装置としてのＳＮＳデータベース８４と、前記ログイン認証手段１００により認証される利用者に対応して、予め定められた関係から音声入力装置であるマイクロフォン４０により入力される音声情報に基づいて前記カラオケ装置１６による演奏を評価する演奏評価手段１０２（ＳＢ４及びＳＢ６）と、予め定められた関係から、前記演奏評価手段１０２による演奏評価結果と前記ＳＮＳデータベース８４に記憶された各利用者毎の総演奏回数Ｎとに基づいて、前記ログイン認証手段１００により認証され得る複数の利用者を母集団とする演奏評価結果の統計を行う演奏評価結果統計手段１０６（ＳＣ１乃至ＳＣ５）とを、備えたものであることから、前記カラオケ装置１６を用いて行った各利用者毎の総演奏回数Ｎを加味して例えばその総演奏回数Ｎが少ないほど評価を低くするといったように演奏評価結果の統計を行うことで、その演奏評価結果を各利用者の実際の歌唱力に近づけることができる。すなわち、利用者の演奏意欲を促進させる各利用者毎の総合的な演奏評価を適切に行い得る通信カラオケシステム１０を提供することができる。
【００４８】
また、前記ログイン認証手段１００により認証される利用者毎に、前記カラオケ装置１６が設置された店舗１２へのその利用者の来店頻度を記憶する記憶装置としてのＳＮＳデータベース８４を備え、前記演奏評価結果統計手段１０６は、予め定められた関係からそのＳＮＳデータベース８４に記憶された来店頻度に基づいて前記演奏評価結果の統計を行うものであるため、前記カラオケ装置１６が設置された店舗１２への来店頻度を加味して例えばその来店頻度が小さいほど評価を低くするといったように演奏評価結果の統計を行うことで、その演奏評価結果を各利用者の実際の歌唱力に近づけることができるという利点がある。
【００４９】
また。前記演奏評価結果統計手段１０６は、予め定められた関係から前記演奏評価手段１０２による演奏評価が行われた時期に基づいて前記演奏評価結果の統計を行うものであるため、演奏評価が行われた時期を加味して例えば演奏評価が行われた時期が古いものほど低い加重をもって評価に反映させるといったように演奏評価結果の統計を行うことで、その演奏評価結果を各利用者の実際の歌唱力に近づけることができるという利点がある。
【００５０】
また、前記ログイン認証手段１００により認証される利用者毎に、その利用者が前記カラオケ装置１６により演奏した演奏曲の履歴を記憶する記憶装置としてのＳＮＳデータベース８４を備え、前記演奏評価結果統計手段１０６は、予め定められた関係からそのＳＮＳデータベース８４に記憶された演奏曲の履歴に基づいて前記演奏評価結果の統計を行うものであるため、前記カラオケ装置１６により演奏した演奏曲の履歴を加味して例えばその履歴に含まれる演奏曲の種類が多いほど評価を高くするといったように演奏評価結果の統計を行うことで、その演奏評価結果を各利用者の実際の歌唱力に近づけることができるという利点がある。
【００５１】
また、前記演奏評価結果統計手段１０６は、予め定められた関係から前記演奏評価手段１０２による評価対象である演奏曲の演奏難易度に基づいて前記演奏評価結果の統計を行うものであるため、評価対象である演奏曲の演奏難易度を加味して例えば難易度が高い演奏曲ほど高い加重をもって評価に反映させるといったように演奏評価結果の統計を行うことで、その演奏評価結果を各利用者の実際の歌唱力に近づけることができるという利点がある。
【００５２】
また、前記演奏評価結果統計手段１０６は、予め定められた関係から、前記演奏評価手段１０２による評価対象である演奏曲の、前記ログイン認証手段１００により認証され得る複数の利用者による累計演奏回数に基づいて前記演奏評価結果の統計を行うものであるため、評価対象である演奏曲の広域的な累計演奏回数を加味して例えばその累計演奏回数が多い演奏曲ほど高い加重をもって評価に反映させるといったように演奏評価結果の統計を行うことで、その演奏評価結果を各利用者の実際の歌唱力に近づけることができるという利点がある。
【００５３】
以上、本発明の好適な実施例を図面に基づいて詳細に説明したが、本発明はこれに限定されるものではなく、更に別の態様においても実施される。
【００５４】
例えば、前述の実施例において、前記ログイン認証手段１００、演奏評価手段１０２、及び情報送信制御手段１０４は、前記カラオケ装置１６のＣＰＵ５０に、前記演奏評価結果統計手段１０６は、前記サーバ装置２０のＣＰＵ６６にそれぞれ機能的に備えられたものであったが、本発明はこれに限定されるものではなく、これらの制御機能は前記カラオケ装置１６及びサーバ装置２０の何れに備えられたものであってもよい。例えば、前記ログイン認証手段１００が前記サーバ装置２０のＣＰＵ６６に機能的に備えられ、そのサーバ装置２０側でユーザのログイン認証を行うものであってもよい。また、前記演奏評価結果統計手段１０６の一部例えば偏差値算出手段１０８の動作に対応する部分が前記カラオケ装置１６に備えられ、そのカラオケ装置１６側で前述した演奏評価結果統計制御の一部を行うものであってもよい。或いは、それら制御機能の一部が前記カラオケ装置１６ともサーバ装置２０とも異なる別の制御装置、例えば前記電子早見本装置２２等に設けられたものであっても構わない。
【００５５】
また、前述の実施例において、前記演奏評価結果統計手段１０６は、演奏評価結果に基づいて算出される偏差値Ｓi、累計演奏回数係数Ｃi、評価時期係数Ｔi、来店頻度係数Ｆf、総演奏回数係数Ｎf、演奏曲種類係数Ｍu、及び総演奏回数Ｎから、前述した（１）式に従って利用者の総合的な演奏評価である歌唱力ＳＡを算出するものであったが、これはあくまで統計の一例に過ぎず、本実施例とは別の数式或いは関係から各利用者の総合的な演奏評価結果を導出するものであってもよい。更には、前述の実施例における算出に用いられた偏差値Ｓi、累計演奏回数係数Ｃi、評価時期係数Ｔi、来店頻度係数Ｆf、総演奏回数係数Ｎf、演奏曲種類係数Ｍu、及び総演奏回数Ｎのうち一部の要素を用いずに斯かる統計を行うものであってもよいことは言うまでもない。
【００５６】
その他、一々例示はしないが、本発明はその趣旨を逸脱しない範囲内において種々の変更が加えられて実施されるものである。
【図面の簡単な説明】
【００５７】
【図１】本発明の一実施例である通信カラオケシステムを説明する概略図である。
【図２】図１の通信カラオケシステムに備えられたカラオケ装置の構成を例示するブロック線図である。
【図３】図１の通信カラオケシステムに備えられたサーバ装置の構成を例示するブロック線図である。
【図４】図２のカラオケ装置のＣＰＵ及び図３のサーバ装置のＣＰＵに備えられた制御機能の要部を説明する機能ブロック線図である。
【図５】図３のサーバ装置のＣＰＵによる演奏評価結果の統計において累計演奏回数係数を導出するために予め定められた関係を例示する図である。
【図６】図３のサーバ装置のＣＰＵによる演奏評価結果の統計において評価時期係数を導出するために予め定められた関係を例示する図である。
【図７】図３のサーバ装置のＣＰＵによる演奏評価結果の統計において来店頻度係数を導出するために予め定められた関係を例示する図である。
【図８】図３のサーバ装置のＣＰＵによる演奏評価結果の統計において総演奏回数係数を導出するために予め定められた関係を例示する図である。
【図９】図２のカラオケ装置のＣＰＵによるログイン制御の要部を説明するフローチャートである。
【図１０】図２のカラオケ装置のＣＰＵによる演奏評価制御の要部を説明するフローチャートである。
【図１１】図３のサーバ装置のＣＰＵによる演奏評価結果統計制御の要部を説明するフローチャートである。
【符号の説明】
【００５８】
１０：通信カラオケシステム
１２：店舗
１６：カラオケ装置
１８：通信回線
２０：サーバ装置
４０：マイクロフォン（音声入力装置）
８４：ＳＮＳデータベース（記憶装置）
１００：ログイン認証手段
１０２：演奏評価手段
１０６：演奏評価結果統計手段
【図１】
2008242045.tif 000003
【図２】
2008242045.tif 000004
【図３】
2008242045.tif 000005
【図４】
2008242045.tif 000006
【図５】
2008242045.tif 000007
【図６】
2008242045.tif 000008
【図７】
2008242045.tif 000009
【図８】
2008242045.tif 000010
【図９】
2008242045.tif 000011
【図１０】
2008242045.tif 000012
【図１１】
2008242045.tif 000013